(57)【要約】【解決手段】底部１と該底部１の相対する一方の土手部１ａにヒンジ連結された相対する一方の側壁２と前記底部１の相対するもう一方の土手部１ｂにヒンジ連結された相対するもう一方の側壁３とを有する折り畳みコンテナーにおいて、前記側壁の下面に、前記底部の土手部に弾性的に面接触する隙間閉じ部材Ｓを垂設したものである。【効果】側壁の下面に、底部の土手部に弾性的に面接触する隙間閉じ部材を垂設したので、隙間閉じ部材と底部の土手部との間に、隙間が生ずるようなことがなく、従って、箱型に組み立てられた状態の折り畳みコンテナー内への塵埃や虫等の侵入を、確実に防止することができる。【選択図】図９
2006096377.tif 000002
【特許請求の範囲】
【請求項１】
底部と該底部の相対する一方の土手部にヒンジ連結された相対する一方の側壁と前記底部の相対するもう一方の土手部にヒンジ連結された相対するもう一方の側壁とを有する折り畳みコンテナーにおいて、前記側壁の下面に、前記底部の土手部に弾性的に面接触する隙間閉じ部材を垂設したことを特徴とする折り畳みコンテナー。
【発明の詳細な説明】
【技術分野】
【０００１】
本発明は、底部と、底部の相対する一方の土手部にヒンジ連結された相対する一方の側壁と、底部の相対するもう一方の土手部にヒンジ連結された相対するもう一方の側壁とから構成されている折り畳みコンテナーに関するものである。
【背景技術】
【０００２】
従来、側壁の傾倒・起立をスムースに行うために、底部と該底部の土手部にヒンジ連結された側壁との間には、隙間が設けられているが、この隙間から、箱型に組み立てられた状態の折り畳みコンテナー内に、塵埃や虫等が入り込むことを防止するために、底部の土手部の上面に凸部を立設するとともに、側壁の下面に、上記の凸部と重なり合う凸部を垂設した折り畳みコンテナーが、特許文献１に開示されている。
【特許文献１】特開２００３−３３５３２８号公報
【発明の開示】
【発明が解決しようとする課題】
【０００３】
上述した従来の折り畳みコンテナーにおいては、底部と側壁とを動き易くするために、底部と側壁とをヒンジ連結するヒンジ部材を構成する雌ヒンジと雄ヒンジとの間に間隙が設けられており、従って、底部の土手部の上面に突設された凸部と側壁の下面に垂設された凸部との間には隙間ができ易く、この隙間から、依然として、塵埃や虫等が入り込むという問題があった。
【０００４】
また、塵埃や虫等が入り込むことを防止するための上述した折り畳みコンテナーの防止構造は、面同士の単なる当接に過ぎないために、折り畳みコンテナーに振動や衝撃が加わると間隙が生じてしまい、従って、塵埃や虫等が入り込むことを防止するための防止構造としては、不十分であった。
【０００５】
更に、折り畳みコンテナーの構造も複雑であり、従って、折り畳みコンテナーの洗浄性が悪化するとともに、折り畳みコンテナーの製造コストが増加するという問題があった。
【０００６】
本発明の目的は、上述した従来の折り畳みコンテナーが有する課題を解決することにある。
【課題を解決するための手段】
【０００７】
本発明は、上述した目的を達成するために、底部と該底部の相対する一方の土手部にヒンジ連結された相対する一方の側壁と前記底部の相対するもう一方の土手部にヒンジ連結された相対するもう一方の側壁とを有する折り畳みコンテナーにおいて、前記側壁の下面に、前記底部の土手部に弾性的に面接触する隙間閉じ部材を垂設したものである。
【発明の効果】
【０００８】
側壁の下面に、底部の土手部に弾性的に面接触する隙間閉じ部材を垂設したので、簡単な構造で、隙間閉じ部材と底部の土手部との間に、隙間が生ずるようなことがなく、従って、箱型に組み立てられた状態の折り畳みコンテナー内への塵埃や虫等の侵入を、確実に防止することができる。
【実施例】
【０００９】
以下に、本発明の実施例について説明するが、本発明の趣旨を越えない限り、何ら、本実施例に限定されるものではない。
【００１０】
先ず最初に、図１〜図３を用いて、本発明の折り畳みコンテナーの全体構成について説明する。
【００１１】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、低く形成されている。また、長辺側土手部１ａ及び短辺側土手部１ｂには、後述する雌ヒンジ部材Ｈ１が、適当数、形成されている。なお、本実施例には、各長辺側土手部１ａ及び各短辺側土手部１ｂに、それぞれ、４個の雌ヒンジ部材Ｈ１が形成されている例が示されている。
【００１２】
２は、長側壁であり、図４及び図５に示されているように、長側壁２の下端フランジ２ａの裏面には、底部１の長辺側土手部１ａに配設された雌ヒンジ部材Ｈ１に対応して、後述する雄ヒンジ部材Ｈ２が配設されている。３は、短側壁であり、図６及び図７に示されているように、短側壁３の下端フランジ３ａの裏面にも、底部１の短側壁土手部１ｂに配設された雌ヒンジ部材Ｈ１に対応して、後述する雄ヒンジ部材Ｈ２が配設されている。
【００１３】
長側壁２の下端フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下端フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【００１４】
図４及び図５に示されているように、長側壁２の横長の略長方形状の板状部２ｂの両端部には、板状部２ｂを延長することにより、縦長の係合枠４が形成されており、係合枠４には、板状部２ｂの外面（折り畳みを箱型に組み立てた際に、外側に位置する面）２ｂ１方向に突出した、適当数の嵌合突起４ａが形成されている。なお、本実施例には、２個の嵌合突起４ａが突設された係合枠４が示されている。
【００１５】
図６及び図７に示されているように、短側壁３の両端部には、板状部３ｂの内面（折り畳みを箱型に組み立てた際に、内側に位置する面）３ｂ１方向に、且つ、板状部３ｂに対して、略直角方向に延在する縦長の係合枠５が形成されており、係合枠５には、長側壁２の係合枠４に突設された嵌合突起４ａが嵌合される透孔５ａが穿設されている。また、係合枠５付近に位置する板状部３ｂに、コの字状のスリット６を形成することにより、係合枠５側が自由端に形成された弾性舌片７が形成されてとともに、弾性舌片７の先端部には、係合枠５と対向するように、係止凸部７ａが形成されている。
【００１６】
図３に示されているように、折り畳まれた状態から、図１に示されているように、箱型に組み立てるには、先ず最初に、図２に示されているように、略水平状態の短側壁３を、略垂直に立て、次いで、長側壁２を、略垂直に立てられた短側壁３方向に回動させると、長側壁２の係合枠４に形成された嵌合突起４ａの短側壁３の係合枠５に穿設された透孔５ａへの嵌合に前後して、長側壁２の係合枠４が、短側壁３に形成された弾性舌片７の係止凸部７ａに当接し、弾性舌片７を外側に変形させる。そして、長側壁２の係合枠４が、短側壁３に形成された弾性舌片７の係止凸部７ａを通過した時点で、長側壁２の係合枠４により外側に押された弾性舌片７が、その復元力により戻り、弾性舌片７の係止凸部７ａが、略垂直に立てられた長側壁２の係合枠４に当接して、長側壁２の底部１方向への回動を阻止するように構成されている。
【００１７】
また、箱型に組み立てられた折り畳みコンテナーを、折り畳むには、先ず最初に、短側壁３の弾性舌片７を、その係止凸部７ａが、長側壁２の係合枠４から外れるように、外側に押し、その後、長側壁２を底部１方向に回動させることにより、長側壁２の係合枠４に形成された嵌合突起４ａを、短側壁３の係合枠５に穿設された透孔５ａから排出させて、長側壁２を底部１の上に倒す。その後、略垂直な短側壁３を、底部１方向に倒すことにより、箱型に組み立てられた折り畳みコンテナーを折り畳むように構成されている。
【００１８】
次に、図８〜図１１を用いて、底部１の長辺側土手部１ａに配設されている雌ヒンジ部材Ｈ１を例に、雌ヒンジ部材Ｈ１について説明するとともに、長側壁２の下端フランジ２ａに配設されている雄ヒンジ部材Ｈ２を例に、雄ヒンジ部材Ｈ２について説明する。
【００１９】
底部１の長辺側土手部１ａは、底部１の底板１ｃの縁部から上方に略垂直に延在する内側垂直部１ａ１と、内側垂直部１ａ１の上端から外側に略水平に延在する水平部１ａ２と、水平部１ａ２の縁部から内側垂直部１ａ１と略平行に下方に延在する外側垂直部１ａ３とから構成されており、長手方向に対して垂直な断面形状が、略逆Ｕ字状に形成されている。
【００２０】
長辺側土手部１ａの水平部１ａ２には、平面形状が長方形の縦孔ｈ１が穿設されている。また、長辺側土手部１ａの内側垂直部１ａ１には、上方が開放されているとともに、底板１ｃ方向に延在する方形状の切欠き凹部ｈ２が形成されている。切欠き凹部ｈ２の横幅（長辺側土手部１ａの長手方向に沿った長さ）Ｗ１は、縦孔ｈ１の長辺長さ（長辺側土手部１ａの長手方向に沿った長さ）Ｗ２より短く、且つ、切欠き凹部ｈ２は、縦孔ｈ１の長辺の略中央部に位置している。
【００２１】
切欠き凹部ｈ２の両側に位置する内側垂直部１ａ１の内面（外側垂直部１ａ３側に位置する面）の上端部には、フックｈ３が突設されており、フックｈ３は、長辺側土手部１ａの水平部１ａ２から外側垂直部１ａ３に向かって、外側垂直部１ａ３に徐々に接近するように傾斜した上部傾斜面ｈ３ａと略水平な庇部ｈ３ｂとにより構成されている。
【００２２】
上述した長辺側土手部１ａに形成された縦孔ｈ１と切欠き凹部ｈ２とフックｈ３とにより、雌ヒンジ部材Ｈ１が構成されている。
【００２３】
一方、長側壁２の板状部２ｂに垂直な下端フランジ２ａの裏面には、雄ヒンジ部材Ｈ２が形成されている。雄ヒンジブ部材Ｈ２は、所定の間隔をおいて、且つ、下端フランジ２ａの長手方向に対して垂直に、下端フランジ２ａの裏面に垂設されている板状の支持片ｈ１０を有しており、一対の支持片ｈ１０の板状部２ｂ側の端面は、連結片ｈ１１により連結されている。一対の支持片ｈ１０の外側面（一対の支持片ｈ１０の相対する面とは反対側の面）間の幅Ｗ３は、切欠き凹部ｈ２の横幅Ｗ１より、若干、狭く形成されており、一対の支持片ｈ１０が、切欠き凹部ｈ２に挿入可能なように構成されている。
【００２４】
また、一対の支持片ｈ１０の外側面の下端部には、ヒンジブロックｈ１２が取着されており、ヒンジブロックｈ１２の下端フランジ２ａとの対向面（以下、上面という。）ｈ１２ａは、下端フランジ２ａと略平行な平坦面として形成されており、更に、上記の上面ｈ１２ａの板状部２ｂ側に位置する端部には、略直方体状の当接ブロック部ｈ１２ｂが突設されている。
【００２５】
上述した一対の支持片ｈ１０と連結片ｈ１１と当接ブロック部ｈ１２ｂを有するヒンジブロックｈ１２とにより、雄ヒンジ部材Ｈ２が構成されている。雄ヒンジ部材Ｈ２は、上述した雌ヒンジ部材Ｈ１の縦孔ｈ１に挿入可能なように構成されている。
【００２６】
長側壁２の下端フランジ２ａの板状部２ｂ側の裏面には、薄肉で弾性変形可能な横長の帯状の隙間閉じ部材Ｓが、下端フランジ２ａの略全長に亘たって垂設されている。隙間閉じ部材Ｓは、下端フランジ２ａの板状部２ｂ側から下端フランジ２ａの先端２ａ１に向かって傾斜しており、隙間閉じ部材Ｓを、下端フランジ２ａに対して略垂直に弾性変形させた際には、隙間閉じ部材Ｓの内面（折り畳みコンテナーを箱型に組み立てた際に、折り畳みコンテナーの内側に位置する面）ｓ１と板状部２ｂの内面（折り畳みコンテナーを箱型に組み立てた際に、折り畳みコンテナーの内側に位置する面）２ｂ２とが、略面一になるように構成されている。隙間閉じ部材Ｓは、その先端ｓ２が、雄ヒンジ部材Ｈ２を構成するヒンジブロックｈ１２の上方に位置するように構成されている。なお、隙間閉じ部材Ｓと雄ヒンジ部材Ｈ２の支持片ｈ１０との間には、隙間閉じ部材Ｓが、全体として弾性変形し易いように、所定の間隙８が形成されている。
【００２７】
また、長辺側土手部１ａの内側垂直部１ａ１には、内側垂直部１ａ１を、水平部１ａ２から所定の高さに亘たって薄肉とすることにより、長辺側土手部１ａの略全長に亘たって、段差部９が形成されており、段差部９の段差幅（段差部９の垂直面９ａと内側垂直部１ａ１の内面１ａ１’との距離）Ｗ４は、隙間閉じ部材Ｓの厚さと略同じに形成されており、また、段差部９の高さＴ１は、隙間閉じ部材Ｓの高さ（下端フランジ２ａの裏面から、隙間閉じ部材Ｓの先端ｓ２までの距離）Ｔ２と略同じに形成されている。
【００２８】
底部１と長側壁２とをヒンジ連結するには、長側壁２を、底部１と略平行になるように、略水平状態に配置し、その後、その状態を維持したまま、長側壁２を、底部１に向かって下降させ、長側壁２に形成されたヒンジブロックｈ１２が突設されている支持片ｈ１０を、長辺側土手部１ａに形成された切欠き凹部ｈ２に挿入するとともに、ヒンジブロックｈ１２を、長辺側土手部１ａに形成された縦孔ｈ１に挿入することにより、図９に示されているように、底部１の長辺側土手部１ａに配設された雌ヒンジ部材Ｈ１と長側壁２に配設された雄ヒンジ部材Ｈ２とをヒンジ連結する。
【００２９】
図９に示されている略水平状態の長側壁２を、垂直方向に回動させて、図１０に示されているように、略垂直に立てた場合には、長側壁２の下端フランジ２ａが、底部１の長辺側土手部１ａの水平部１ａ２に載置されるとともに、ヒンジブロックｈ１２の当接ブロック部ｈ１２ｂが、底部１に形成された長辺側土手部１ａの内側垂直部１ａ１に突設されたフックｈ３の庇部ｈ３ｂに、当接或いは接近して位置するように構成されている。このように、長側壁３が略垂直に立てられた際には、長側壁２の下端フランジ２ａの裏面に垂設された弾性変形可能な隙間閉じ部材Ｓは、下端フランジ２ａの板状部２ｂ側から下端フランジ２ａの先端２ａ１に向かって傾斜した状態から、下端フランジ２ａに対して略垂直に弾性変形されながら、長辺側土手部１ａの内側垂直部１ａ１に形成された段差部９に嵌合されることになる。
【００３０】
図１０に示されているように、長側壁３が略垂直に立てられた状態においては、下端フランジ２ａの裏面に垂設された隙間閉じ部材Ｓの先端ｓ２が、フックｈ３の庇部ｈ３ｂの上方に位置するように構成されているとともに、図９に示されているように、長側壁３が略水平に倒された状態においては、隙間閉じ部材Ｓの先端ｓ２が、底部１に形成された長辺側土手部１ａの内側垂直部１ａ１に接触しないように構成されている。
【００３１】
また、図１０に示されているように、略垂直に立てられた状態の長側壁２を、底部１方向に倒すと、図１１に示されているように、長側壁２は、フックｈ３の庇部ｈ３ｂに当接或いは接近して位置するヒンジブロックｈ１２の当接ブロック部ｈ１２ｂを略回動中心として、底部１方向に回動することになる。上述したように、下端フランジ２ａの裏面に垂設された隙間閉じ部材Ｓは、長側壁３が略垂直に立てられた状態においては、隙間閉じ部材Ｓの先端ｓ２が、フックｈ３の庇部ｈ３ｂの上方に位置するように構成されているとともに、長側壁３が略水平に倒された状態においては、隙間閉じ部材Ｓの先端ｓ２が、底部１に形成された長辺側土手部１ａの内側垂直部１ａ１に接触しないように構成されているので、略垂直に立てられた状態の長側壁２の底部１方向への回動過程において、隙間閉じ部材Ｓが、底部１に形成された長辺側土手部１ａに当接し、薄肉の隙間閉じ部材Ｓが損傷するようなことを防止することができる。また、隙間閉じ部材Ｓが、長辺側土手部１ａの内側垂直部１ａ１に形成された段差部９から排出された際には、隙間閉じ部材Ｓは、その弾性により、下端フランジ２ａに対して略垂直な状態から、下端フランジ２ａの板状部２ｂ側から下端フランジ２ａの先端２ａ１に向かって傾斜した元の状態に戻ることになる。なお、略垂直に立てられた状態の長側壁２の底部１方向への回動過程において、隙間閉じ部材Ｓが、底部１に形成された長辺側土手部１ａに、短時間、当接するようなことがあっても、長側壁２が、略水平状態に倒された状態においては、上述したように、隙間閉じ部材Ｓは、底部１の長辺側土手部１ａや底板１ｃには当接していないので、隙間閉じ部材Ｓが変形したり損傷するようなことはない。
【００３２】
底部１の短辺側土手部１ｂにも、上述した構成を有する雌ヒンジ部材Ｈ１が配設されているとともに、短側壁３の下端フランジ３ａの裏面にも、上述した構成を有する雄ヒンジ部材Ｈ２が配設されており、底部１に配設された雌ヒンジ部材Ｈ１と短側壁３に配設された雄ヒンジ部材Ｈ２とのヒンジ連結は、上述した底部１に配設された雌ヒンジ部材Ｈ１と長側壁２に配設された雄ヒンジ部材Ｈ２とのヒンジ連結と同じであるので、その説明は省略する。
【００３３】
上述した長側壁２に配設された隙間閉じ部材Ｓが、図６や図７に示されているように、短側壁３にも配設されている。即ち、短側壁３の下端フランジ３ａの板状部３ｂ側の裏面に、薄肉で弾性変形可能な横長の帯状の隙間閉じ部材Ｓが、下端フランジ３ａの略全長に亘たって垂設されている。また、隙間閉じ部材Ｓは、下端フランジ３ａの板状部３ｂ側から下端フランジ３ａの先端３ａ１に向かって傾斜しており、隙間閉じ部材Ｓを、下端フランジ３ａに対して略垂直に弾性変形させた際には、隙間閉じ部材Ｓの内面（折り畳みコンテナーを箱型に組み立てた際に、折り畳みコンテナーの内側に位置する面）ｓ１と板状部３ｂの内面（折り畳みコンテナーを箱型に組み立てた際に、折り畳みコンテナーの内側に位置する面）３ｂ１とが、略面一になるように構成されているとともに、隙間閉じ部材Ｓと雄ヒンジ部材Ｈ２の支持片ｈ１０との間には、隙間閉じ部材Ｓが、全体として弾性変形し易いように、所定の間隙８が形成されている。更に、上述した底部１の長辺側土手部１ａの内側垂直部１ａ１に形成された段差部９と同様の内側段差部９が、底部１の短辺側土手部１ｂの内側垂直部１ｂ１の略全長に亘たって形成されている。なお、短側壁３の下端フランジ３ａの裏面に垂設された隙間閉じ部材Ｓと、底部１の短辺側土手部１ｂの内側垂直部１ｂ１に形成された段差部９との嵌合状態等に関しては、上述した長側壁２の下端フランジ２ａの裏面に垂設された隙間閉じ部材Ｓと、底部１の長側壁土手部１ａの内側垂直部１ａ１に形成された段差部９との嵌合状態等と同じであるので、その説明は省略する。
【００３４】
上述したように、折り畳みコンテナーが、図１に示されているように、箱型に組み立てられ、長側壁３が略垂直に立てられた際には、長側壁２の下端フランジ２ａの裏面に垂設された弾性変形可能な隙間閉じ部材Ｓが、下端フランジ２ａの板状部２ｂ側から下端フランジ２ａの先端２ａ１に向かって傾斜した状態から、下端フランジ２ａに対して略垂直に弾性変形されながら、長辺側土手部１ａの内側垂直部１ａ１に形成された段差部９に嵌合されるとともに、同様に、短側壁３の下端フランジ３ａの裏面に垂設された弾性変形可能な隙間閉じ部材Ｓが、下端フランジ３ａの板状部３ｂ側から下端フランジ３ａの先端３ａ１に向かって傾斜した状態から、下端フランジ３ａに対して略垂直に弾性変形されながら、短辺側土手部１ｂの内側垂直部１ｂ１に形成された段差部９に嵌合されるように構成されているので、底部１の長辺側土手部１ａの水平部１ａ２と長側壁２の下端フランジ２ａとの間に存在する隙間の殆どが、長側壁２の下端フランジ２ａの裏面に垂設された弾性変形可能な隙間閉じ部材Ｓにより閉鎖されるとともに、底部１の短辺側土手部１ｂの水平部１ｂ２と短側壁３の下端フランジ３ａとの間に存在する隙間の殆どが、短側壁３の下端フランジ３ａの裏面に垂設された弾性変形可能な隙間閉じ部材Ｓにより閉鎖されることになり、従って、底部１の長辺側土手部１ａの水平部１ａ２と長側壁２の下端フランジ２ａとの間に存在する隙間や底部１の短辺側土手部１ｂの水平部１ｂ２と短側壁３の下端フランジ３ａとの間に存在する隙間から、箱型に組み立てられた状態の折り畳みコンテナー内に、塵埃や虫等が入り込むようなことを、確実に防止することができる。
【００３５】
また、長側壁２の下端フランジ２ａの裏面に垂設された弾性変形可能な隙間閉じ部材Ｓが、下端フランジ２ａの板状部２ｂ側から下端フランジ２ａの先端２ａ１に向かって傾斜した状態から、下端フランジ２ａに対して略垂直に弾性変形されながら、長辺側土手部１ａの内側垂直部１ａ１に形成された段差部９に嵌合されてるとともに、短側壁３の下端フランジ３ａの裏面に垂設された弾性変形可能な隙間閉じ部材Ｓも、下端フランジ３ａの板状部３ｂ側から下端フランジ３ａの先端３ａ１に向かって傾斜した状態から、下端フランジ３ａに対して略垂直に弾性変形されながら、短辺側土手部１ｂの内側垂直部１ｂ１に形成された段差部９に嵌合されているので、隙間閉じ部材Ｓは、その弾性により、長辺側土手部１ａの内側垂直部１ａ１及び短辺側土手部１ｂの内側垂直部１ｂ１に、面接触状態で、且つ、圧接されており、従って、隙間閉じ部材Ｓと底部１の長辺側土手部１ａの内側垂直部１ａ１との間及び隙間閉じ部材Ｓと底部１の短辺側土手部１ｂの内側垂直部１ｂ１との間に、隙間が生ずるようなことがなく、箱型に組み立てられた状態の折り畳みコンテナー内への塵埃や虫等の侵入を、より確実に防止することができる。
【００３６】
なお、上述した実施例には、箱型に組み立てられた状態から、先に長側壁２を、底部１方向に倒し、その後、短側壁３を、底部１方向に倒して、折り畳みコンテナーを折り畳むように構成された折り畳みコンテナーが示されているが、箱型に組み立てられた状態から、先に短側壁３を、底部１方向に倒し、その後、長側壁２を、底部１方向に倒すように構成することもできる。この場合には、先に倒される短側壁３に、嵌合突起４ａが突設された係合枠４が形成され、後から倒される長側壁２に、透孔５ａが穿設された係合枠５が形成されるとともに弾性舌片７が形成されることになる。
【図面の簡単な説明】
【００３７】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーの長側壁の内面側から見た斜視図である。
【図５】図５は、本発明の折り畳みコンテナーの長側壁の外面側から見た斜視図である。
【図６】図６は、本発明の折り畳みコンテナーの短側壁の内面側から見た斜視図である。
【図７】図７は、本発明の折り畳みコンテナーの短側壁の外面側から見た斜視図である。
【図８】図８は、本発明の折り畳みコンテナーの長側壁と底部とのヒンジ連結を説明するための長側壁と底部との部分分解斜視図である。
【図９】図９は、本発明の折り畳みコンテナーの長側壁と底部とのヒンジ連結を説明するためのヒンジ連結されたヒンジ部分の部分垂直断面図である。
【図１０】図１０は、同じく、本発明の折り畳みコンテナーの長側壁と底部とのヒンジ連結を説明するためのヒンジ連結されたヒンジ部分の部分垂直断面図である。
【図１１】図１１は、同じく、本発明の折り畳みコンテナーの長側壁と底部とのヒンジ連結を説明するためのヒンジ連結されたヒンジ部分の部分垂直断面図である。
【図１２】図１２は、本発明の折り畳みコンテナーの短側壁と底部とのヒンジ連結を説明するための短側壁と底部との部分分解垂直断面図である。
【符号の説明】
【００３８】
Ｈ１・・・・・・・・・・・・・・雌ヒンジ部材
Ｈ２・・・・・・・・・・・・・・雄ヒンジ部材
Ｓ・・・・・・・・・・・・・・・隙間閉じ部材
１・・・・・・・・・・・・・・・底部
１ａ・・・・・・・・・・・・・・長辺側土手部
１ｂ・・・・・・・・・・・・・・短辺側土手部
２・・・・・・・・・・・・・・・長側壁
３・・・・・・・・・・・・・・・短側壁
【図１】
2006096377.tif 000003
【図２】
2006096377.tif 000004
【図３】
2006096377.tif 000005
【図４】
2006096377.tif 000006
【図５】
2006096377.tif 000007
【図６】
2006096377.tif 000008
【図７】
2006096377.tif 000009
【図８】
2006096377.tif 000010
【図９】
2006096377.tif 000011
【図１０】
2006096377.tif 000012
【図１１】
2006096377.tif 000013
【図１２】
2006096377.tif 000014